(57)【要約】【課題】伝統構法と近代構法とを組み合わせることにより双方の利点を生かした低コストの木造建築物の提供。【解決手段】伝統構法により構成された部屋６の周りに、耐力壁による構法により構成された部屋７ａ，７ｂ，７ｃ，７ｄを備える。この木造建築物では、伝統構法により木組みそのもので構成された中心部分の部屋６は剛ではないが、この伝統構法により構成された中心部分の部屋６の周りに耐力壁構法により構成される部屋７ａ，７ｂ，７ｃ，７ｄが配置されることによって、この伝統構法により構成された部屋６を含めて一つの建築物として剛となる。【選択図】図８
2009209529.tif 000002
【特許請求の範囲】
【請求項１】
伝統構法により構成された部屋の周りに、耐力壁による構法（以下、「耐力壁構法」と称す。）により構成された部屋を備えた木造建築物。
【請求項２】
前記耐力壁構法により構成された部屋の骨組みは、基礎の立ち上がり部上に金物により固定されたものであり、
前記伝統構法により構成された部屋の骨組みは、基礎の底版部上または地盤上に配設された束石あるいは束石相当物上に載置されたものである請求項１記載の木造建築物。
【請求項３】
前記伝統構法により構成された部屋の骨組みは、平面視で正方形状に組まれたものであり、
前記耐力壁構法により構成された部屋の骨組みは、平面視で前記伝統構法により構成された部屋の骨組みの４辺に対して４５°および１３５°の方向に梁および土台が配設されたものである請求項１または２に記載の木造建築物。
【請求項４】
前記伝統構法により構成された部屋の周りに、前記耐力壁構法により構成された複数の部屋を備えた請求項１から３のいずれかに記載の木造建築物。
【請求項５】
前記伝統構法により構成された部屋の骨組みの柱は、１５０ｍｍ角以上の柱である請求項１から４のいずれかに記載の木造建築物。
【発明の詳細な説明】
【技術分野】
【０００１】
本発明は、耐力壁を持たない伝統構法と軸組工法（在来工法）や枠組壁工法（ツーバイフォー工法）などの耐力壁による近代構法とを組み合わせた木造建築物に関する。
【背景技術】
【０００２】
図１８に示すように、日本の代表的な木造建築構法として、日本で長年に亘り受け継がれてきた耐力壁を持たない伝統的な構法（伝統構法）と、近年主流の耐力壁を持つ軸組工法（在来工法）や枠組壁工法（ツーバイフォー工法）などの耐力壁を持つ近代構法とがある（非特許文献１，２参照。）。
【０００３】
伝統構法は閉め固めた地面に束石を置き、その上に柱を建てる構法である。耐力壁を持たない伝統構法では、柱や梁を加工して木を互いに組み合わせることにより骨組みを構成し、金物はほとんど使用せずに長ほぞ、込み栓、楔やダボなどで固定する。一方、軸組工法では、地面に一体とした基礎に土台を金物により固定し、この土台上に柱を建てる。また、軸組工法では、土台、柱や梁に筋違いや面材を金物で固定して耐力壁を構成している。
【０００４】
また、建物骨格の連結構造に関する技術として、例えば特許文献１には、互いに連結される各骨組み部材をそれぞれの長手方向に沿って複数に分割された分割部材で構成し、仕口金具には１つの骨組み部材を構成する各分割部材を互いに結合して１つの骨組み部材を形成せしめる結合部を複数設け、仕口金具の各結合部で各分割部材を結合して互いに連結される複数の骨組み部材を形成することにより各骨組み部材の間を仕口金具で互いに連結することにより、建物の増改築や補修を容易にした構造が記載されている。
【０００５】
【特許文献１】特開２０００−３５２１２３号公報
【非特許文献１】“伝統工法・構法って何？”，［online］，梓工務店，［平成１９年１２月１日検索］，インターネット＜ＵＲＬ：http://www.azusa-k.co.jp/co.01.html＞
【非特許文献２】“伝統工法と在来工法の決定的な違いとは”，［online］，株式会社ベストハウス，［平成１９年１２月１日検索］，インターネット＜ＵＲＬ：http://www.besthouse.cc/02sizensozai/02-2dento.html＞
【発明の開示】
【発明が解決しようとする課題】
【０００６】
近年、伝統構法が見直されてきており、伝統構法により建築物を建てたいという要望が増えている。しかしながら、伝統構法では、金物をほとんど使用せずに木組みそのもので木造建築物を構成するものであり、柱や梁などに太い材料を使う必要があるうえ、木組みだけで建築物を固める必要があるため、製造コストが高くなってしまうという問題がある。そのため、伝統構法で建てたくても、コストが高くて建てられずに、諦めてしまうことが多い。
【０００７】
そこで、本発明においては、伝統構法と近代構法とを組み合わせることにより双方の利点を生かした木造建築物を提供することを目的とする。
【課題を解決するための手段】
【０００８】
本発明の木造建築物は、伝統構法により構成された部屋の周りに、耐力壁による構法（以下、「耐力壁構法」と称す。）により構成された部屋を備えたものである。ここで、伝統構法により構成された部屋とは、日本で長年に亘り受け継がれてきた耐力壁を持たない伝統的な構法により構成された部屋であり、柱や梁を加工して木を互いに組み合わせ、金物をほとんど使用せずに長ほぞ、込み栓、楔やダボなどで固定することにより骨組みが構成されるものをいう。また、耐力壁構法により構成された部屋とは、近年主流の耐力壁を持つ軸組工法（在来工法）や枠組壁工法（ツーバイフォー工法）などの耐力壁を持つ近代構法による軸組や枠組壁によって構成された部屋をいう。軸組工法では、柱や梁といった軸組（線材）で耐力壁を構成するのに対し、枠組壁工法では、枠状に組まれた木材に構造用合板（面材）を打ち付けて耐力壁を構成する。
【０００９】
本発明によれば、伝統構法により木組みそのもので構成された中心部分の部屋は剛ではないが、この伝統構法により構成された中心部分の部屋の周りに耐力壁構法により構成される部屋が配置されることによって、この伝統構法により構成された部屋を含めて一つの建築物として剛となる。この結果、本発明の木造建築物は、伝統構法により構成された建築物の外周部分に、必然的に耐力壁を設けた建築物構造となり、耐震性能上、好ましい耐力壁配置の建築物となる。また、本発明の木造建築物では、伝統構法により構成された部屋の周りに、耐力壁構法による諸室を配置するため、中心室を取り囲む回遊性のある間取りが可能となり、生活スタイルに対応した間取りの自由度が高くなる。
【００１０】
ここで、伝統構法により構成された部屋の骨組みは、平面視で正方形状に組まれたものであり、耐力壁構法により構成された部屋は、平面視で伝統構法により構成された部屋骨組みの４辺に対して４５°および１３５°の方向に梁および土台が配設されたものであることが望ましい。平面視で正方形状に組まれた伝統構法により構成された部屋の周りに、この部屋の４つの壁面に隣り合わせで構成されるそれぞれの部屋が１部屋ずつ配置された建築物が得られる。
【発明の効果】
【００１１】
（１）伝統構法により構成された部屋の周りに、耐力壁構法により構成された部屋を備えたことにより、伝統構法により構成された建築物の外周部分に、必然的に耐力壁を設けた建築物構造となり、耐震性能上、好ましい耐力壁配置の建築物が得られる。また、伝統構法により構成された部屋の周りに、耐力壁構法による諸室を配置するため、中心室を取り囲む回遊性のある間取りが可能となり、生活スタイルに対応した間取りの自由度が高くなる。
【００１２】
（２）伝統構法により構成された部屋の骨組みが、平面視で正方形状に組まれたものであり、耐力壁構法により構成された部屋が、平面視で伝統構法により構成された部屋の骨組みの４辺に対して４５°および１３５°の方向に梁および土台が配設されたものであることにより、平面視で正方形状に組まれた伝統構法により構成された部屋の周りに、この部屋の４つの壁面に隣り合わせで構成されるそれぞれの部屋が１部屋ずつ配置された建築物が得られる。すなわち、各部屋から中央の部屋へ移動および中央の部屋から周りの各部屋の移動が容易で、中央の部屋を生活の中心とすることが可能な建築物が得られる。
【発明を実施するための最良の形態】
【００１３】
図１は本発明の実施の形態における木造建築物の骨組み構造を示す斜視図、図２は図１のＡ部の土台伏図、図３は図１のＡ部の基礎伏図、図４は図１のＡ部のべた基礎断面図である。
【００１４】
図１において、本発明の実施の形態における木造建築物は、伝統構法により構成された第１の骨組み１の周りに、耐力壁構法としての軸組工法により構成された第２の骨組み２を備えた２階建て構造である。なお、図１の例では、１階および２階のそれぞれに、第１の骨組み１により構成される１部屋の周りに第２の骨組みにより構成される４部屋が配設されている。
【００１５】
また、本実施形態における木造建築物は、基礎としてのべた基礎３上に築造されている。図３および図４に示すように、べた基礎３は、地盤上に施工された砕石４０、捨てコンクリート４１や防湿シート４２などの上に構成されるコンクリート基礎であり、床版部３０および立ち上がり部３１，３２を有する。立ち上がり部３１は骨組み１の土台１０が配設される位置に、立ち上がり部３２は骨組み２の土台２０が配設される位置に、それぞれ構築される。また、床版部３０上の骨組み１の柱１１が配設される位置に、束石に相当する束石相当物としての束部３３が構築されている。なお、図示しないが、床版部３０、立ち上がり部３１，３２および束部３３内には配筋が施されている。
【００１６】
第１の骨組み１は、主に断面寸法がそれぞれ２１０ｍｍ（７寸）角の土台１０、柱１１や梁（桁）１２を加工して互いに組み合わせ、図示しない長ほぞ、込み栓、楔やダボなどで固定された伝統構法によるものである。第１の骨組み１は、平面視で正方形となるように組まれた正四角柱状の櫓形である。なお、骨組み１の柱１１は、べた基礎３の束部３３上に載置される。なお、本実施形態においては、べた基礎の束部３３の天端寸法は３８０ｍｍ角、床版部３０上面からの高さは１５０ｍｍである。
【００１７】
また、本実施形態においては、骨組み１の土台１０は、図２に示すように、べた基礎３の立ち上がり部３１上に金物としてのアンカーボルト３４によって緊結固定されているが、この伝統構法による骨組み１はべた基礎３上に自立するので固定しない構成とすることも可能である。なお、本実施形態においては、べた基礎３の立ち上がり部３１の天端の幅は２３０ｍｍである。また、べた基礎３の立ち上がり部３１と土台１０の間、束部３３と柱１１の間には、それぞれ２０ｍｍ厚のパッキン（図示せず。）が設けられている。
【００１８】
第２の骨組み２は、主に断面寸法がそれぞれ１０５ｍｍ（３．５寸）角の土台２０、柱２１や梁（桁）２２に、図示しない筋違いや面材を金物で固定して耐力壁を構成する軸組工法によるものである。但し、この第２の骨組み２は、木造建築物の中心側の１面が第１の骨組み１によって固められているので、従来のような耐力壁構造は不要である。なお、骨組み２の土台２０は、図２に示すように、べた基礎３の立ち上がり部３２上に金物としてのアンカーボルト３５によって緊結固定されている。また、べた基礎３の立ち上がり部３２と土台２０との間には、２０ｍｍ厚のパッキン３６が設けられている。なお、本実施形態においては、べた基礎３の立ち上がり部３２の天端の幅は１２５ｍｍである。
【００１９】
また、第２の骨組み２の土台２０および梁２２は、図１および図２に示すように、平面視で第１の骨組み１の外周の４辺に対して４５°および１３５°の方向に配設されている。したがって、図２に示すように、第２の骨組み２の土台２０は、第１の骨組み１の柱１１の側面に対して直角に連結されるのではなく、柱１１の角部に連結される。第２の骨組み２の土台２０と第１の骨組み１の柱１１との連結は、金物により行う。また、第１の骨組み１により形成される部屋と第２の骨組み２により形成される部屋の床面を同一にするため、図４に示すように土台１０，２０の天端は同一面としている。
【００２０】
なお、本実施形態においては、基礎としてべた基礎３を用いているが、布基礎を用いることも可能である。図５は布基礎を用いた場合の図１のＡ部に相当する土台伏図、図６は図１のＡ部に相当する基礎伏図、図７は図１のＡ部に相当する布基礎断面図である。
【００２１】
この場合、図６および図７に示すように、前述のべた基礎３に代えて布基礎５を用いる点以外は、前述の構成とほぼ共通である。なお、布基礎５の場合、骨組み１，２のそれぞれの土台１０，２０が固定される立ち上がり部５１，５２の下部には、それぞれフーチング部５３，５４が形成されている。また、骨組み１の柱１１が載置される束部５５はフーチング部５３に連結されて構築されている。また、このような布基礎５を用いる場合、布基礎５の内側には防湿土間コンクリート５６を施工することが好ましい。
【００２２】
また、本実施形態においては、第１の骨組み１により形成された部屋の周りに、耐力壁構法としての軸組工法により構成された第２の骨組み２により形成された４部屋を備えた２階建て構造としているが、耐力壁構法としての軸組工法に代えて枠組壁工法により、第１の骨組み１により形成された部屋の周りに部屋を構成することも可能である。なお、本実施形態において採用される耐力壁構法は、建築基準法施行令第４６条表、並びに昭和５６年建設省（現・国土交通省）告示第１１００号に拠する軸組工法もしくは枠組壁工法の構造耐力上必要な軸組により構成されるものをいう。また、２階建て構造に限らず、平屋建て（１階建て）や３階建て以上とすることも可能である。
【００２３】
上記のような構成の木造建築物では、伝統構法により第１の骨組み１の木組みそのもので構成された中心部分の部屋は剛ではないが、この伝統構法により構成された中心部分の部屋の周りに耐力壁構法により構成される部屋が配置されることによって、この伝統構法により構成された部屋を含めて一つの建築物として剛となる。この結果、本実施形態における木造建築物は、伝統構法により構成された建築物の外周部分に、必然的に耐力壁を設けた建築物構造となり、建築基準法施行令第４６条第１項および同条第４項、並びに平成１２年建設省（現・国土交通省）告示第１３５２号における耐震性能上、好ましい耐力壁配置の建築物となる。
【００２４】
また、本実施形態における木造建築物では、伝統構法により構成された建築物の外周部分に、耐力壁構法により諸室を配置するため、中心室を取り囲む回遊性のある間取りが可能となり、生活スタイルに対応した間取りの自由度が高い。そのため、本実施形態における木造建築物では、施主の要望に応じた設計変更を行いやすく、木造建築物を低コストで提供することが可能である。
【００２５】
なお、本実施形態における木造建築物では、軸組工法により構成する第２の骨組み２は、一般的に日本農林規格（ＪＡＳ）により規格化されている断面寸法が１０５ｍｍ（３．５寸）または１２０ｍｍ（４寸）が使用されるが、場合によっては規格外の１３５ｍｍ（４．５寸）が使用されることもある。一方、伝統構法により構成する第１の骨組み１は、断面寸法が２１０ｍｍ（７寸）角のものを使用しているが、この断面寸法はこれに限られるものではなく、１５０ｍｍ（５寸）角や１８０ｍｍ（６寸）角のものを使用することも可能である。あるいは、１５０ｍｍ角未満のものを使用することも可能であるが、伝統構法では耐力壁構造を有さないため、１５０ｍｍ以上のものを使用することが望ましい。
【００２６】
図８は本実施形態における木造建築物の部屋の配置例を示す図である。図８に示す配置例では、伝統構法により構成された１つの部屋６を中心として、周囲に耐力壁構法により構成された４つの部屋７ａ，７ｂ，７ｃ，７ｄが配置されている。部屋６はリビング、部屋７ａはバスルーム・洗面所、部屋７ｂは和室、部屋７ｃはダイニングキッチン、部屋７ｄはガレージである。また、部屋７ｂには付属部屋７ｅが付設されている。
【００２７】
図８に示すように、平面視で正方形状に組まれた伝統構法により構成された１つの部屋６の周りに、この部屋６の４つの壁面に隣り合わせで構成されるそれぞれの部屋７ａ〜７ｄが１部屋ずつ配置された木造建築物では、各部屋７ａ〜７ｄから中央の部屋６への移動および中央の部屋６から周りの各部屋７ａ〜７ｄの移動が容易であり、中央の部屋６を生活の中心とすることが可能となり、使用勝手が良い。
【００２８】
また、この木造建築物は、耐力壁構法により構成される部屋７ａ〜７ｄを自由に設計することが可能であるため、部屋７ｃを図９に示すように別レイアウトの部屋８ａに置換することが容易である。また、部屋７ｄを図１０に示すように別レイアウトの部屋８ｂに置換し、さらにこの部屋８ｄに付属部屋８ｃを付設することも容易である。
【００２９】
さらに、部屋７ｄを図１１に示す別レイアウトの部屋８ｄにしたり、図１２に示す別レイアウトの部屋８ｅにしたりすることも容易である。なお、図１１に示す部屋８ｄは、半屋外の部屋であり、入口は内側に設けられている。また、図１２に示す部屋８ｅには、半屋外の付属部屋８ｆが付設されている。
【００３０】
また、図１３および図１４は本実施形態における木造建築物の各部屋のさらに別の配置例を示している。図１３（ａ）は、伝統構法により構成された１つの部屋９を中心として、周囲に耐力壁構法により構成された４つの部屋９ａ，９ｂ，９ｃ，９ｄが配置された基本形のレイアウトである。同図（ｂ）は同図（ａ）の１つの部屋９ｄをフリースペースとしたものである。同図（ｃ）は同図（ａ）の２つの部屋９ａ，９ｄをフリースペースとしたものである。同図（ｄ）は同図（ａ）の１つの部屋９ｄを１方向に大きさが異なる部屋９ｅとしたものである。同図（ｅ）は同図（ａ）の２つの部屋９ｂ，９ｃを２方向に大きさが異なる部屋９ｆとしたものである。同図（ｆ）は同図（ｅ）の部屋９ｈをフリースペースとしたものである。同図（ｇ）は同図（ａ）の４部屋９ａ，９ｂ，９ｃ，９ｄを同図（ｄ）の部屋９ｅとしたものである。同図（ｈ）は同図（ｄ）の部屋９ａをフリースペースとしたものである。
【００３１】
また、図１４（ａ）は図１３（ａ）の１つの部屋９ｄを小さな部屋９ｈとしたものである。図１４（ｂ）はさらに同図（ａ）の１つの部屋９ａを小さな部屋９ｈとしたものである。図１４（ｃ）は同図（ａ）の部屋９ｃを図１３（ｅ）の大きな部屋９ｆとしたものである。図１４（ｄ）はさらに同図（ｃ）の部屋９ｂを大きな部屋９ｆとしたものである。図１４（ｅ）は同図（ａ）の部屋９ａを図１３（ｄ）の大きな部屋９ｅとしたものである。図１４（ｆ）は図１３（ａ）の部屋９ｄに付属部屋９ｉを付設したものである。図１４（ｇ）は図１３（ａ）の部屋９ｄに付属部屋９ｉよりも複雑な形状の付属部屋９ｊを付設したものである。
【００３２】
図１３および図１４に示す配置例は、すべて伝統構法により構成された１つの部屋９を中心とし、この周りに耐力壁構法により構成された各部屋９ａ〜９ｉを配置しているため、この中心の部屋９を取り囲む回遊性のある間取りとなっており、生活スタイルに対応した間取りの自由度が高く、設計変更も容易である。
【実施例】
【００３３】
図１５は本実施形態における木造建築物の実施例を示す正面図、図１６は図１５の木造建築物の１階部分の配置例を示す平面図、図１７は図１５の木造建築物の２階部分の配置例を示す平面図である。
【００３４】
図１６に示すように、この木造建築物は、１階中央に伝統構法により構成されたリビングが配置され、その周囲に耐力壁構法により構成された４部屋が配置されている。なお、図１７に示すように、中央のリビングは２階までの吹き抜け構造となっているが、この２階部分の中央も伝統構法により構成されたものであるため、吹き抜けの有無に拘わらず、２階部分の周囲の各部屋も１階部分と同様に自由に設計変更することが可能である。
【産業上の利用可能性】
【００３５】
本発明の木造建築物は、木材を使った建築物構造として有用である。特に、本発明は、伝統構法と近代構法とを組み合わせることにより双方の利点を生かした木造建築物として好適である。
【図面の簡単な説明】
【００３６】
【図１】本発明の実施の形態における木造建築物の骨組み構造を示す斜視図である。
【図２】図１のＡ部の土台伏図である。
【図３】図１のＡ部の基礎伏図である。
【図４】図１のＡ部のべた基礎断面図である。
【図５】布基礎を用いた場合の図１のＡ部に相当する土台伏図である。
【図６】布基礎を用いた場合の図１のＡ部に相当する基礎伏図である。
【図７】布基礎を用いた場合の図１のＡ部に相当する布基礎断面図である。
【図８】本実施形態における木造建築物の部屋の配置例を示す図である。
【図９】耐力壁構法により構成される部屋の別の例を示す図である。
【図１０】耐力壁構法により構成される部屋の別の例を示す図である。
【図１１】耐力壁構法により構成される部屋の別の例を示す図である。
【図１２】耐力壁構法により構成される部屋の別の例を示す図である。
【図１３】本実施形態における木造建築物の各部屋のさらに別の配置例を示す図である。
【図１４】本実施形態における木造建築物の各部屋のさらに別の配置例を示す図である。
【図１５】本実施形態における木造建築物の実施例を示す正面図である。
【図１６】図１５の木造建築物の１階部分の配置例を示す平面図である。
【図１７】図１５の木造建築物の２階部分の配置例を示す平面図である。
【図１８】従来の木造建築物構法を示す説明図である。
【符号の説明】
【００３７】
１，２  骨組み
１０，２０  土台
１１，２１  柱
１２，２２  梁
３  べた基礎
３０  床版部
３１，３２  立ち上がり部
３３  束部
４０  砕石
４１  捨てコンクリート
４２  防湿シート
５  布基礎
５１，５２  立ち上がり部
５３，５４  フーチング部
５５  束部
５６  防湿土間コンクリート
６，７ａ，７ｂ，７ｃ，７ｄ，８ａ，８ｂ，８ｄ，８ｅ，９，９ａ，９ｂ，９ｃ，９ｄ９ｅ，９ｆ，９ｇ，９ｈ  部屋
７ｅ，８ｃ，８ｆ，９ｉ，９ｊ  付属部屋
【図１】
2009209529.tif 000003
【図２】
2009209529.tif 000004
【図３】
2009209529.tif 000005
【図４】
2009209529.tif 000006
【図５】
2009209529.tif 000007
【図６】
2009209529.tif 000008
【図７】
2009209529.tif 000009
【図８】
2009209529.tif 000010
【図９】
2009209529.tif 000011
【図１０】
2009209529.tif 000012
【図１１】
2009209529.tif 000013
【図１２】
2009209529.tif 000014
【図１３】
2009209529.tif 000015
【図１４】
2009209529.tif 000016
【図１８】
2009209529.tif 000017
【図１５】
2009209529.tif 000018
【図１６】
2009209529.tif 000019
【図１７】
2009209529.tif 000020